(57)【要約】【課題】風呂循環管路の異物混入により流水手段が動作しない場合でも、異物混入による風呂循環回路の閉塞を防止することができる貯湯式給湯機を得ること。【解決手段】貯湯タンク２０に貯湯された温水を浴槽１６０に給湯するとともに、浴槽１６０に貯湯された浴水１６０ａを循環させる風呂循環管路９０と、洗浄動作の入力を受け付けるリモートコントローラ１２０と、洗浄動作の入力を受け付けた場合に、浴水１６０ａを吸水して風呂循環管路９０内を循環させる風呂循環ポンプ９１と、風呂循環ポンプ９１により循環された浴水１６０ａの流水を検知するフロースイッチ８８と、流水が検知されなかった場合に、風呂循環ポンプ９１を第１時間動作させ、流水が検知された場合に、風呂循環ポンプ９１を第１時間よりも長い第２時間動作させる洗浄制御部と、を備える。【選択図】図１
2011002147.tif 000002
【特許請求の範囲】
【請求項１】
貯湯タンクに貯湯された温水を浴槽に給湯するとともに、前記浴槽に貯湯された浴水を循環させる循環管路と、
洗浄動作の入力を受け付ける入力受付部と、
前記洗浄動作の入力を受け付けた場合に、前記浴槽に貯湯されている浴水を吸水して前記循環管路内を循環させる循環部と、
前記循環部により循環された浴水の流水を検知する流水検知部と、
前記流水が検知されなかった場合に、前記循環部を所定の第１時間動作させ、前記流水が検知された場合に、前記循環部を前記第１時間よりも長い第２時間動作させる洗浄制御部と、
を備えることを特徴とする貯湯式給湯機。
【請求項２】
前記循環部の動作中に、前記流水検知部により前記流水が検知された場合に、前記循環部を動作させる時間を前記第１時間から前記第２時間に切り換える切替部、
をさらに備えることを特徴とする請求項１に記載の貯湯式給湯機。
【請求項３】
前記循環部の動作記録を記憶部に保存する洗浄履歴管理部と、
をさらに備え、
前記洗浄制御部は、前記流水検知部により前記流水が検知されなかった場合に、前記動作記録を参照し、前回の動作が前記第１時間の動作である場合に異常を報知すること、
を特徴とする請求項１に記載の貯湯式給湯機。
【発明の詳細な説明】
【技術分野】
【０００１】
本発明は、貯湯タンクを有する貯湯式給湯機に関する。
【背景技術】
【０００２】
従来より、浴槽に湯張りすると共に、浴槽内の湯水を循環加熱して沸かす給湯機において、浴槽水を浴槽と熱交換器との間で循環させる風呂循環管路に接続されている浴槽アダプタや熱交換器に、皮質やゴミ等の異物が蓄積され、風呂循環管路が詰まり浴槽水の循環に支障をきたす事態が生じている。
【０００３】
そこで、風呂循環管路内に異物が混入した場合に、浴槽内の浴水を流水検知手段により検知した場合に、循環ポンプを動作させて風呂循環管路内の温水を循環させることにより異物を除去する方法が知られている。
【０００４】
また、浴槽水位を求め、循環管路の戻り管と往き管との流路を切り換えて、循環金具の入側と出側とを逆にすることにより、循環管路に詰まった異物を強制除去する自動風呂装置が開発されている（例えば、特許文献１参照）。
【先行技術文献】
【特許文献】
【０００５】
【特許文献１】特開平０９−２７３８０９号公報
【発明の概要】
【発明が解決しようとする課題】
【０００６】
しかしながら、上記従来の技術によれば、浴槽に浴水が満たされていても、風呂循環管路への異物混入等で流水検知手段が動作しない場合は、循環ポンプが継続動作しないため、風呂循環管路内に混入した異物の除去を自動で行うことができなくなるという問題があった。
【０００７】
本発明は上記に鑑みてなされたもので、流水検知手段が動作しない場合でも、風呂循環管路内の異物の除去を自動で行うことができる貯湯式給湯機を得ることを目的とする。
【課題を解決するための手段】
【０００８】
本発明は、貯湯タンクに貯湯された温水を浴槽に給湯するとともに、浴槽に貯湯された浴水を循環させる循環管路と、洗浄動作の入力を受け付ける入力受付部と、洗浄動作の入力を受け付けた場合に、浴槽に貯湯されている浴水を吸水して循環管路内を循環させる循環部と、循環部により循環された浴水の流水を検知する流水検知部と、流水が検知されなかった場合に、循環部を所定の第１時間動作させ、流水が検知された場合に、循環部を第１時間よりも長い第２時間動作させる洗浄制御部とを備えることを特徴とする。
【発明の効果】
【０００９】
本発明によれば、風呂循環管路内への異物混入等により流水検知手段が動作しない場合でも、風呂循環管路内の異物を自動で行うことができる。
【図面の簡単な説明】
【００１０】
【図１】本発明にかかる貯湯式給湯機の概略図を示す図である。
【図２】本発明にかかるタンク側制御装置１００の構成を示すブロック図である。
【図３】リモートコントローラ１２０の概要を示す図である。
【図４】リモートコントローラ１２０の構成を示すブロック図である。
【図５】実施の形態１の洗浄処理の手順を示すフローチャートである。
【図６】実施の形態２の洗浄処理の手順を示すフローチャートである。
【図７】実施の形態３の洗浄処理の手順を示すフローチャートである。
【発明を実施するための形態】
【００１１】
以下に、本発明にかかる貯湯式給湯機の実施の形態を図面に基づいて詳細に説明する。なお、この実施の形態によりこの発明が限定されるものではない。
【００１２】
実施の形態１．
図１は、本発明にかかる貯湯式給湯機の概略図である。貯湯式給湯機１３０は、熱源機で沸き上げた湯を貯湯タンクに貯留し、ここから浴槽１６０に湯を供給する機能を有するものであり、ヒートポンプユニット１０と給湯機本体１１０とリモートコントローラ１２０とを備えている。以下、貯湯式給湯機１３０の各構成要素について説明する。
【００１３】
ヒートポンプユニット１０は、冷媒を圧縮する圧縮機と、放熱機に相当する熱上用交換器、膨張弁、蒸発器、これらを環状に接続する循環配管を有する冷凍サイクル部（不図示）を備え、後述するタンク側制御装置１００による制御の下に熱源機として機能する。
【００１４】
一方、給湯機本体１１０は、貯湯タンク２０、給水管路３０、貯湯用循環管路４０、給湯管路５０、タンク循環回路６０、風呂給湯混合弁７０、風呂用給湯管路８０、風呂循環管路９０、およびタンク側制御装置１００等を有している。
【００１５】
貯湯タンク２０は、給水管路３０から供給される水を貯留すると共にヒートポンプユニット１０で沸き上げられた湯を貯留する積層式の貯湯タンクである。貯湯タンク２０の下部には給水管路３０の第３給水管部３０ｃと、貯湯用循環管路４０の往き管４０ａと、タンク循環回路６０の一端が、また上部には貯湯用循環管路４０の戻り管４０ｂと給湯管路５０とタンク循環回路６０の他の一端がそれぞれ接続されている。この貯湯タンク２０は、給水管路３０からの給水により常に満水状態に保たれる。貯湯タンク２０の上部には、貯湯タンク２０から給湯管路５０に流入する湯の温度を検知するためのタンク温度センサ２０ａが取り付けられている。
【００１６】
給水管路３０は、市水等の水を貯湯タンク２０、および風呂給湯混合弁７０に供給する管路であり、減圧弁２３、給水温度センサ２５、第１給水管部３０ａ、第２給水管部３０ｂ、および第３給水管部３０ｃを有している。減圧弁２３は、第１給水管部３０ａの途中に設けられて、水道等の水源（不図示）からの水圧を所定値以下に減じる。給水温度センサ２５は、第１給水管部３０ａ内の水の温度を検知する。また、第１給水管部３０ａは、水源と貯湯タンク２０とを繋ぐ。第２給水管部３０ｂは、減圧弁２３の下流側で第１給水管部３０ａから分かれて該第１給水管部３０ａと、風呂給湯混合弁７０とを繋ぐ。第３給水管部３０ｃは、減圧弁２３の上流側で第２給水管部３０ｂから分かれて、第２給水管部３０ｂと貯湯タンク２０とを繋ぐ。
【００１７】
貯湯用循環管路４０は、貯湯タンク２０の下部からヒートポンプユニット１０中の沸上用熱交換器を経由して貯湯タンク２０の上部に達する管路であり、貯湯用送水ポンプ３５、往き管４０ａ、および戻り管４０ｂを有している。貯湯用送水ポンプ３５は往き管４０ａに設けられており、往き管４０ａは貯湯タンク２０の下部と沸上用熱交換器とを繋ぐ。戻り管４０ｂは、沸上用熱交換器と貯湯タンク２０の上部とをつなぐ。
【００１８】
タンク循環回路６０は、熱交換器６１に接続されており、風呂循環熱源ポンプ６２により貯湯タンク２０に貯湯された湯を熱交換器６１に循環させた後に貯湯タンク２０に戻す。熱交換器６１は、貯湯タンク２０内に貯湯された湯と、浴槽１６０内の浴水１６０ａを熱交換する。
【００１９】
風呂用給湯管路８０は、電磁弁８３と、風呂用流量センサ８５と、風呂用温度センサ８６とを有しており、風呂循環管路９０に接続されている。電磁弁８３は、タンク側制御装置１００により開度を調整されて風呂用給湯管路８０での流量を調節し、風呂用流量センサ８５は風呂用給湯管路８０での流量を検知し、風呂用温度センサ８６は風呂用給湯管路８０内の温水の温度を検知する。図示の例では、電磁弁８３と、風呂用流量センサ８５と、風呂用温度センサ８６とが風呂給湯混合弁７０側からこの順番で設けられている。なお、浴槽１６０内には浴槽アダプタ１５５が取り付けられ、風呂用給湯管路８０は風呂循環管路９０を介して当該浴槽アダプタ１５５に接続される。
【００２０】
風呂循環管路９０は、熱交換器６１に接続されており、フロースイッチ８８と、水位センサ８９と、風呂循環ポンプ９１と、混合湯温センサ９２とを有しており、風呂用給湯管路８０と浴槽１６０とを繋ぐ。風呂循環ポンプ９１は浴槽１６０と連通している風呂循環管路９０内の温水を循環させ、混合湯温センサ９２は、風呂循環管路９０内の温水の温度を検知する。また、水位センサ８９は、浴槽１６０内の水位を検知する。
【００２１】
タンク側制御装置１００は、リモートコントローラ１２０から受信した指令または情報と、タンク温度センサ２０ａ、貯湯タンク２０上に複数設けられた沸き上げ温度センサ（不図示）、給水温度センサ２５、風呂用流量センサ８５、または風呂温度センサ８６、混合湯温センサ９２の検知温度とに応じて、ヒートポンプユニット１０、貯湯用送水ポンプ３５、風呂循環熱源ポンプ６２、風呂給湯混合弁７０、電磁弁８３、風呂循環ポンプ９１の動作を制御する。
【００２２】
図２は、タンク側制御装置１００の構成を示すブロック図である。本図に示すように、タンク側制御装置１００は、タンク側制御部９４と、送受信処理部９５と、記憶部９６とを主に備える。
【００２３】
送受信処理部９５は、リモートコントローラ１２０と情報（例えば運転開始指示）を送受信する。
【００２４】
タンク側制御部９４は、浴槽１６０に給湯、沸上げ等の各種運転を制御する運転制御部９４ａと、浴槽１６０に連結する風呂循環管路９０を洗浄する洗浄制御部９４ｂと、風呂循環管路９０の洗浄履歴を管理する洗浄履歴管理部９４ｃとを備える。運転制御部９４ａは、送受信処理部９５からの指示に従って、各センサの検知結果もしくは各検出装置の検出結果に基づいて、貯湯式給湯機１３０での沸上げ運転、給湯運転、湯張り運転、および追炊き運転を総括的に制御する。
【００２５】
沸上げ運転は、例えばユーザがリモートコントローラ１２０から沸上げ開始指令を入力すると、タンク側制御装置１００による制御の下にヒートポンプユニット１０および貯湯用送水ポンプ３５が起動され、開始される。
【００２６】
沸上げ運転が開始されると、タンク側制御装置１００は、沸上げ湯量に対応した所定の沸上げ温度センサの検知温度を監視し、検知温度が所定温度以上になると、沸上げ湯量以上の湯が貯湯タンク２０に貯留されたと判断して沸上げ運転を停止させる。この間、貯湯タンク２０の下部から往き管４０ａに水が流入し、ヒートポンプユニット１０内の沸上用熱交換器に通水されて沸上用熱交換器で湯に沸き上げられる。沸上用熱交換器で沸き上げられた湯は、戻り管４０ｂを通って貯湯タンク２０の上部から貯湯タンク２０内に戻される。
【００２７】
また、浴槽１６０への給湯運転は、ユーザがリモートコントローラ１２０から湯張り開始指令等、浴槽１６０への給湯指令を入力すると、タンク側制御装置１００が電磁弁８３に開指令を出して開始される。当該給湯運転では、タンク温度センサ２０ａの検知温度と、給水温度センサ２５の検知温度と、ユーザがリモートコントローラ１２０から入力した湯張り温度の温度情報に基づき、タンク側制御装置１００が風呂給湯混合弁７０の開度を調整して、給湯管路５０からの湯と第２給水管部３０ｂからの水との混合比を調整する。そして、風呂用温度センサ８６の検知温度に基づいてタンク側制御装置１００が風呂給湯混合弁７０の開度をフィードバック制御して、浴槽１６０への給湯温度をユーザの設定温度に調整する。
【００２８】
浴槽１６０への給湯運転は、風呂用流量センサ８５の検知結果が湯張り湯量等に達すると、あるいはリモートコントローラ１２０から給湯の停止を指示する指令が入力されると、タンク側制御装置１００が電磁弁８３に閉指令を出して停止させる。上記の湯張り湯量、足し湯湯量等の給湯量情報は、リモートコントローラ１２０からユーザにより予め入力される。図１では、浴槽１６０への湯水の流れ方向を実線の矢印で示している。
【００２９】
洗浄制御部９４ｂは、送受信処理部９５からの洗浄開始指示に応じて、風呂循環ポンプ９１を動作させる。また、洗浄制御部９４ｂは、第１タイマ９４ｘと第２タイマ９４ｙとを備え、風呂循環ポンプ９１の動作結果に応じて、第１タイマ９４ｘまたは第２タイマ９４ｙのいずれかを動作させ、動作させたタイマがカウントする時間だけ風呂循環ポンプ９１を動作させる。
【００３０】
第１タイマ９４ｘは、第２タイマ９４ｙよりも短い時間が設定される。具体的には、第１タイマ９４ｘは、フロースイッチ８８により浴水１６０ａが無いと判定された場合に、試運転程度の時間風呂循環ポンプ９１を動作させるに足りる比較的短時間をカウントする。例えば、３分を設定することが可能である。
【００３１】
一方、第２タイマ９４ｙは、第１タイマ９４ｘよりも長い時間が設定される。具体的には、第２タイマ９４ｙは、フロースイッチ８８により浴水１６０ａが有ると判定された場合に、風呂循環管路９０の汚れを洗浄するに足りる時間をカウントする。例えば、１時間を設定することが可能である。
【００３２】
洗浄履歴管理部９４ｃは、洗浄制御部９４ｂによる洗浄処理の履歴を記憶部９６に保存する。具体的には、リモートコントローラ１２０の洗浄スイッチ（図３参照）が押下された時間に、選択されたタイマの種類を対応付けて記憶部９６に送信する。
【００３３】
記憶部９６は、送受信処理部９５を介して、洗浄履歴管理部９４ｃから送信された洗浄制御部９４ｂによる洗浄動作の記録である洗浄履歴を保存する。具体的には、洗浄制御部９４ｂにより動作されたタイマの種類および動作開始の日時等が記録される。
【００３４】
図３は、リモートコントローラ１２０の概要を示す図である。リモートコントローラ１２０は、タンク側制御装置１００に有線または無線接続されて、タンク側制御装置１００と通信する。リモートコントローラ１２０は、複数の入力スイッチを有する操作部１１１と、液晶表示パネル等の表示部１１２と、スピーカを用いて構成された報知部１１３とを有している。
【００３５】
操作部１１１を構成する各入力スイッチは、タンク側制御装置１００への指令や情報等を入力するためのものであり、湯張り運転の開始指令を入力する風呂自動スイッチ１１１ａと、洗浄開始指令を入力する洗浄スイッチ１１１ｂと、設定湯温を上げる第１湯温調整スイッチ１１１ｃと、設定湯温を下げる第２湯温調整スイッチ１１１ｄと、報知部１１３の報知動作の終了要求を入力する報知切りスイッチ１１１ｅとが示されている。
【００３６】
表示部１１２は、操作部１１１から入力された指令や情報、およびタンク側制御装置１００から受信した運転状況等の情報等を文字、図形、キャラクタ等で視覚表示する。
【００３７】
報知部１１３は、所定の合成音声や警告音を再生する。例えば、操作部１１１から指令や情報が入力されたときに確認メッセージをアナウンスしたり、タンク側制御装置１００から沸上げ運転、湯張り運転、または追焚き運転の終了や、洗浄処理におけるエラーメッセージをアナウンスしたりする。
【００３８】
図４は、リモートコントローラ１２０の構成を示すブロック図である。リモートコントローラ１２０は、本図に示すように、送受信処理部１１５、リモート側制御部１１６、および記憶部１１７を有している。上記の送受信処理部１１５は、タンク側制御装置１００への指令や情報等の送信に係る処理、ならびにタンク側制御装置１００から送信されてくる運転状況等の情報や指令の受信および振り分けに係る処理を行う。また、リモート制御部１１６は、入力処理部１１６ａ、表示制御部１１６ｂ、および報知制御部１１６ｃを有しており、操作部１１１からの入力内容や送受信処理部１１５の受信内容等に応じて表示部１１２、報知部１１３、または送受信処理部１１５の動作制御を行う。
【００３９】
入力処理部１１６ａは、操作部１１１から指令（要求を含む）や情報が入力されたときに、当該指令や情報を送受信処理部１１５に送ると共に所定の指令を表示制御部１１６ｂまたは報知制御部１１６ｃに送る。表示制御部１１６ｂは、入力処理部１１６ａから送られてくる上記の指令に応じて表示部１１２の動作を制御して、操作部１１１から入力された指令や情報に対応した視覚表示を表示部１１２に行わせる。報知制御部１１６ｃは、操作部１１１から指令（要求を含む）や情報が入力されたときに入力処理部１１６ａから送られてくる指令に応じて、上記の指令や情報に係る確認メッセージを報知部１１３にアナウンスさせる。
【００４０】
次に、タンク側制御装置１００による洗浄処理の手順について説明する。図５は、実施の形態１のタンク側制御部９４による洗浄処理の手順を示すフローチャートである。
【００４１】
タンク側制御部９４は、ユーザによるリモートコントローラ１２０の洗浄スイッチ１１１ｂの押下により、洗浄スイッチ１１１ｂＯＮの入力を受け付ける（ステップＳ１）。洗浄開始指令を受信した洗浄制御部９４ｂは、風呂循環ポンプ９１を回転させる（ステップＳ２）。風呂循環ポンプ９１は、浴槽１６０内に浴水１６０ａがあれば、風呂循環配管９０内に浴水１６０ａを流出させる。
【００４２】
フロースイッチ８８は、浴水１６０ａの有無を検出し（ステップＳ３）、浴水１６０ａを検出しなかった場合は（ステップＳ３：Ｎｏ）、第１タイマ９４ｘをＯＮにし（ステップＳ７）、第１タイマ９４ｘを動作させる。洗浄制御部９４ｂは、第１タイマ９４ｘによる第１の時間が経過したか否かを確認し（ステップＳ８）、第１の時間が経過した場合には（ステップＳ８：Ｙｅｓ）、風呂循環ポンプ９１を停止させる（ステップＳ６）。なお、第１の時間が経過していない場合は（ステップＳ８：Ｎｏ）、第１の時間が経過するまで風呂循環ポンプ９１の動作を継続させる。
【００４３】
ステップＳ３において、浴水１６４ａが検出された場合は（ステップＳ３：Ｙｅｓ）、洗浄制御部９４ｂは、第２タイマ９４ｙをＯＮにし（ステップＳ４）、第２タイマ９４ｙを動作させる。洗浄制御部９４ｂは、第２タイマ９４ｙによる第２の時間が経過したか否かを確認し（ステップＳ５）、第２の時間が経過した場合に（ステップＳ５：Ｙｅｓ）、風呂循環ポンプ９１を停止させる（ステップＳ６）。なお、第２の時間が経過していない場合は（ステップＳ５：Ｎｏ）、第２の時間が経過するまで風呂循環ポンプ９１の動作を継続させる。
【００４４】
このように、洗浄スイッチ１１１ｂの押下に応じて、フロースイッチ８８により浴水１６０ａの検出有無にかかわらず風呂循環ポンプ９１を回転させることにより、風呂循環管路９０内への異物混入により浴水１６０ａが検出されなかった場合であっても、所定時間流水を継続するので、異物を除去することができる。
【００４５】
また、浴槽１６０に浴水１６０ａが貯湯されていない場合としては、風呂循環管路９０に異物が詰まっている場合の他、浴槽１６０に浴水１６０ａが貯湯されていない場合がある。本実施の形態においては、浴水１６０ａが検出されない場合には、風呂循環ポンプ９１を短時間で停止させるため、電力や部品の無駄な消費を回避することができる。
【００４６】
実施の形態２．
実施の形態１では、フロースイッチ８８により流水が検知されなかった場合は、第１タイマ９４ｘによる第１の時間だけ風呂循環ポンプ９１を動作させたが、本実施の形態では、第１の時間カウント中に、フロースイッチ８８が流水を検知した場合には、第２タイマ９４ｙに切り換えて第２の時間風呂循環ポンプ９１を動作させる。
【００４７】
タンク側制御装置１００による洗浄処理の手順について説明する。図６は、実施の形態２にかかるタンク側制御部９４による洗浄処理の手順を示すフローチャートである。ステップ１１からステップ１７までの処理は、実施の形態１において説明した図５のフローチャートのステップ１からステップＳ７と同様であるため説明を省略する。
【００４８】
ステップＳ１８において、洗浄制御部９４ｂは、第１タイマ９４ｘによる第１の時間が経過したか否かを確認し（ステップＳ１８）、第１の時間が経過していない場合は（ステップＳ９：Ｎｏ）、フロースイッチ８８により浴水１６０ａが検出されたか否かを確認し（ステップＳ１９）、検出を確認した場合には（ステップＳ１９：Ｙｅｓ）、タイマの種類を切り替え、第２タイマ９４ｙをＯＮにする（ステップＳ１４）。第２の時間が経過したか否かを確認し（ステップＳ１５）、経過した場合には（ステップＳ１５：Ｙｅｓ）、風呂循環ポンプ９１を停止させる（ステップＳ１６）。
【００４９】
風呂循環管路９０に異物が詰まっている場合でも、風呂循環ポンプ９１の動作開始により異物を除去できる場合ある。この場合には、浴水１６０ａが検出され、第２の時間風呂循環ポンプ９１が回転する。このように、第１の時間が経過する前に、風呂循環ポンプ９１により異物を除去できた場合には、風呂循環管路９０を洗浄することができる。
【００５０】
このように、本実施の形態においては、フロースイッチ８８により流水が検知されない場合であっても、所定時間流水継続するので異物を除去することができる。
【００５１】
実施の形態３．
実施の形態１では、フロースイッチ８８により流水が検知されなかった場合は、第１タイマ９４ｘによる第１の時間だけ風呂循環ポンプ９１を動作させた。さらに、本実施の形態では、洗浄制御部９４ｂは、洗浄履歴を参照し、風呂循環管路９０への異物混入の可能性が高いと判断した場合にユーザに報知する。
【００５２】
タンク側制御装置１００による洗浄処理の手順について説明する。図７は、実施の形態３にかかるタンク側制御部９４による洗浄処理の手順を示すフローチャートである。なお、上述の実施の形態１、２の動作と同一または相当部分は同一符号を付し説明を省略する。
【００５３】
報知の処理について、本実施の形態では、報知部１１３（図４参照）は、所定の警告音の再生において、タンク側制御装置２００から異常を受信すると、「異物を除去してください」等といった警告メッセージがアナウンスされる。
【００５４】
フロースイッチ８８は、浴水１６０ａの有無を検出し（ステップＳ３）、浴水１６０ａを検出しなかった場合は（ステップＳ３：Ｎｏ）、記憶部９６の洗浄履歴から、前回の洗浄処理が第１タイマ９４ｘにより洗浄されたか否かを確認する（ステップＳ２８）。前回第１タイマ９４ｘにより洗浄されていなかった場合（ステップＳ２８：Ｎｏ）、すなわち、第２タイマ９４ｙにより洗浄されていた場合には、洗浄制御部９４ｂは、第１タイマ９４ｘをＯＮにし動作させる（ステップＳ７）。一方、ステップＳ２８において、前回第１タイマ９４ｘにより洗浄されていた場合には（ステップＳ２８：Ｙｅｓ）、洗浄制御部９４ｂは、送受信処理部９６を介してリモートコントローラ１２０に異常を送信する（ステップＳ３１）。異常を受信したリモートコントローラ１２０のリモート側制御部１１６は、報知制御部１１６ｃにより報知部１１３に報知する指令を送信する。
【００５５】
ステップＳ６において、風呂循環ポンプ９１が停止すると、または、ステップＳ３１において、報知部１１３により異常が報知されると、洗浄履歴管理部９４ｃは、第１タイマ９４ｘによる洗浄履歴を記憶部９６に保存する（ステップＳ２７）。
【００５６】
一般に、前回洗浄時に、第１タイマ９４ｘにより洗浄処理が実行されたのに、今回も浴水１６０ａが検出されない場合は、ユーザが浴水１６０ａを確認した上で洗浄スイッチ１１１ｂを押下しているにもかかわらずフロースイッチ８８が流水を検知しないという事態が想定される。この場合、風呂循環配管９０内への異物混入が原因でフロースイッチ８８により流水が検知されない可能性が高い。本実施の形態においては、このような場合を検知し、洗浄時間を待たずに早急にユーザに異常を知らせることができる。
【００５７】
このように、本実施の形態においては、フロースイッチ８８により流水が検知されない場合の履歴を参照して早急にユーザに異常を知らせることが出来る。
【符号の説明】
【００５８】
２０  貯湯タンク
８８  フロースイッチ
９０  風呂循環管路
９１  風呂循環ポンプ
９４  タンク側制御部
９４ａ  運転制御部
９４ｂ  洗浄制御部
９４ｃ  洗浄履歴管理部
９４ｘ  第１タイマ
９４ｙ  第２タイマ
９６  記憶部
１００  タンク側制御装置
１１０  給湯機本体
１１１  操作部
１２０  リモートコントローラ
１３０  貯湯式給湯機
１６０  浴槽
１６０a  浴水
【図１】
2011002147.tif 000003
【図２】
2011002147.tif 000004
【図３】
2011002147.tif 000005
【図４】
2011002147.tif 000006
【図５】
2011002147.tif 000007
【図６】
2011002147.tif 000008
【図７】
2011002147.tif 000009